(57)【要約】      （修正有）【課題】設置スペースを確保しつつ、コストを低減し、さらに意匠性を向上する集合住宅を提供する。【解決手段】集合住宅は、多層階構造の集合住宅であって、メールボックス及び宅配ボックスの少なくとも一方を含み、集合住宅のエントランス２５に設置される箱体と、この箱体の外郭を構成する複数の面のうち、少なくともエントランス２５の開口方向の屋外側の面を被覆する仕上材３２とを備え、仕上材３２は、屋外側からエントランス２５の開口を見たときに、視認できる位置に設けられている。【選択図】図１
2016196748.tif 000002
【特許請求の範囲】
【請求項１】
多層階構造の集合住宅であって、
メールボックス及び宅配ボックスの少なくとも一方を含み、前記集合住宅のエントランスに設置される箱体と、
前記箱体の外郭を構成する複数の面のうち、少なくとも前記エントランスの開口方向の屋外側の面を被覆する仕上材とを備え、
前記仕上材は、屋外側から前記エントランスの開口を見たときに、視認できる位置に設けられている、集合住宅。
【請求項２】
前記箱体上に設けられた庇をさらに備える、請求項１に記載の集合住宅。
【請求項３】
前記庇の外郭を構成する複数の面のうち少なくとも前記エントランスの開口方向の屋外側の面と、前記箱体におけるエントランスの開口方向の屋外側の面を被覆する仕上材とは、意匠上の一体性を有している、請求項２に記載の集合住宅。
【請求項４】
前記箱体におけるエントランスの開口方向の屋外側の面は、外壁から離れて位置し、
前記仕上材は、前記箱体の外郭を構成する複数の面のうち、前記外壁近傍から前記屋外側の面まで延びる面をさらに被覆する、請求項１〜３のいずれか１項に記載の集合住宅。
【請求項５】
前記集合住宅において前記箱体よりも屋内側に設けられ、上下階を結ぶ階段をさらに備え、
前記仕上材は、屋外側から前記エントランスの開口を見たときに、前記階段を覆う、請求項１〜４のいずれか１項に記載の集合住宅。
【請求項６】
前記箱体を構成するボックスの開閉部が形成された面は、前記エントランスの開口方向と交差する方向に延び、
前記仕上材は、屋外側から前記エントランスの開口を見たときに、前記開閉部が形成された面を越えて突出している、請求項１〜５のいずれか１項に記載の集合住宅。
【発明の詳細な説明】
【技術分野】
【０００１】
本発明は、集合住宅に関し、より特定的には、多層階構造の集合住宅に関する。
【背景技術】
【０００２】
近年、集合住宅には、各住戸用の郵便受けを一体化したメールボックス、受取人が留守の場合に荷物を入れておく宅配ボックスなどが設置されている（例えば、特許文献１〜５）。
【０００３】
特許文献１には、集合住宅のエントランスゲートよりも屋内側に、宅配便等の荷物を収納できる収納部または外部物入れを設けた構造が開示されている。特許文献２には、集合住宅の玄関部分を構成するドア体横に、メールボックスが設置された構造が開示されている。特許文献３〜５には、折返し階段の踊り場、及びその下方に延びる階段部分下方の空間に、荷物の受け取りボックスが配置された構造が開示されている。
【先行技術文献】
【特許文献】
【０００４】
【特許文献１】特開２００２−３６４１９０号公報
【特許文献２】特開２０１３−１５９９１号公報
【特許文献３】特開平３−２２１００９号公報
【特許文献４】特開平３−２２１０１０号公報
【特許文献５】特開平３−２２１０１２号公報
【発明の概要】
【発明が解決しようとする課題】
【０００５】
しかしながら、上記特許文献１の集合住宅においては、収納部または外部物入れを設置するスペースをエントランスゲートよりも屋内側に設ける必要がある。また、上記特許文献１の集合住宅においては、収納部または外部物入れを取り囲む壁体を形成している。収納部または外部物入れの設置場所に制約があり、その設置するスペースを確保するために壁体を形成しているので、壁体等の施工のためのコストを要する。
【０００６】
また、屋外側からエントランスの開口を見たときに、上記特許文献２の集合住宅においてはメールボックスの投函部が外観上視認され、上記特許文献３〜５の集合住宅においては荷物の受け取りボックスが外観上視認され、意匠性が良好ではない。
【０００７】
本発明は、上記問題点に鑑み、設置スペースを確保しつつ、コストを低減し、さらに意匠性を向上する集合住宅を提供することを課題とする。
【課題を解決するための手段】
【０００８】
本発明の集合住宅は、多層階構造の集合住宅であって、メールボックス及び宅配ボックスの少なくとも一方を含み、集合住宅のエントランスに設置される箱体と、この箱体の外郭を構成する複数の面のうち、少なくともエントランスの開口方向の屋外側の面を被覆する仕上材とを備え、仕上材は、屋外側からエントランスの開口を見たときに、視認できる位置に設けられている。
【０００９】
本発明の集合住宅によれば、メールボックス及び宅配ボックスの少なくとも一方を含む箱体において、エントランスの開口方向において屋外側に位置する面を仕上材が被覆し、この仕上材が外観の一部をなしている。このため、屋外側からエントランスの開口を見たときに、仕上材を集合住宅の外観の一部にできるので、意匠性を向上することができる。また、集合住宅のエントランスに箱体を設置するための壁体などを設けずに、エントランスに仕上材で被覆された箱体を設置することができる。このため、コストを低減することができる。さらに、集合住宅のエントランスに箱体を設置するための壁体などを設ける必要がないので、仕上材で被覆された箱体を設置するためのスペースの確保のための制限が小さい。このため、設置スペースの確保が容易である。以上より、本発明の集合住宅は、設置スペースを確保しつつ、コストを低減でき、さらに意匠性を向上できる。
【００１０】
本発明の集合住宅において好ましくは、箱体上に設けられた庇をさらに備えている。庇を設けることにより、庇の下にスペースを設けることができ、このスペースに箱体を設置することができる。このため、メールボックス及び宅配ボックスの少なくとも一方を含む箱体の設置スペースを容易に確保することができる。
【００１１】
本発明の集合住宅において好ましくは、庇の外郭を構成する複数の面のうち少なくともエントランスの開口方向の屋外側の面と、箱体におけるエントランスの開口方向の屋外側の面を被覆する仕上材とは、意匠上の一体性を有している。
【００１２】
これにより、集合住宅において外観上視認される庇の屋外側の面と仕上材の屋外側の面とが意匠上の一体性を有しているので、意匠性をより向上できる。
【００１３】
本発明の集合住宅において好ましくは、箱体におけるエントランスの開口方向の屋外側の面は、外壁から離れて位置し、仕上材は、箱体の外郭を構成する複数の面のうち、外壁近傍から屋外側の面まで延びる面をさらに被覆する。
【００１４】
これにより、箱体が外壁の前方に設置されており、集合住宅を側面から見たときに箱体が外壁から突出していても、箱体の外壁近傍から屋外側の面まで延びる面を仕上材が覆っているので、意匠性をさらに向上することができる。
【００１５】
本発明の集合住宅において好ましくは、集合住宅において箱体よりも屋内側に設けられ、上下階を結ぶ階段をさらに備え、仕上材は、屋外側からエントランスの開口を見たときに、階段を覆っている。
【００１６】
これにより、上下階を結ぶ階段が配置されていても、屋外側からエントランスの開口を見たときに、仕上材により階段が外観上視認されることを防止できるので、意匠性をさらに向上することができる。また、階段が視認されることを防止するために、従来はパネルが配置されていたが、本発明ではメールボックス及び宅配ボックスの少なくとも一方を含む箱体及びその仕上材を配置している。このため、パネルの設置が不要となり、コストをさらに低減できる。
【００１７】
本発明の集合住宅において好ましくは、箱体を構成するボックスの開閉部が形成された面は、エントランスの開口方向と交差する方向に延び、仕上材は、屋外側からエントランスの開口を見たときに、開閉部が形成された面を越えて突出している。
【００１８】
これにより、ボックスの開閉部に投入するとき、ボックスの開閉部から取り出すとき、ボックスが開口部を有している場合に投入されてから取り出すまでの間などに、雨の吹き込みにより濡れてしまうことを防止できる。
【発明の効果】
【００１９】
本発明の集合住宅によれば、設置スペースを確保しつつ、コストを低減し、さらに意匠性を向上できる。
【図面の簡単な説明】
【００２０】
【図１】本発明の実施の形態１における集合住宅を概略的に示す正面図である。
【図２】本発明の実施の形態１における集合住宅を概略的に示す斜視図である。
【図３】本発明の実施の形態１における集合住宅の一階部分を概略的に示す平面図である。
【図４】本発明の実施の形態１における集合住宅の二階部分を概略的に示す平面図である。
【図５】本発明の実施の形態１における集合住宅を構成する箱体近傍を概略的に示す側面図である。
【図６】本発明の実施の形態２における集合住宅の一階部分を概略的に示す平面図である。
【発明を実施するための形態】
【００２１】
以下、図面に基づいて本発明の実施の形態を説明する。なお、以下の図面において同一または相当する部分には同一の参照符号を付しその説明は繰り返さない。
【００２２】
（実施の形態１）
図１〜図５を参照して、本発明の一実施形態の集合住宅について説明する。集合住宅は、多層階構造であり、本実施の形態では二階建てとしている。なお、本実施の形態において、正面とは、集合住宅１０のエントランス２５の開口方向（出入口部分を通過する方向であり、図１における紙面手前から奥に向けた方向、図３における上下方向）の屋外側に位置する面を意味し、正面視とは、屋外側から集合住宅１０のエントランス２５の開口を見ることを意味する。また、平面視とは、集合住宅１０を上方から見ることを意味する。また、外郭とは、輪郭となる部分であり、外郭を構成する面とは、外側に露出する面（外表面）である。
【００２３】
図１及び図２に示すように、集合住宅１０は、一階部分１１と、この一階部分１１上に設けられた二階部分１２と、この二階部分１２の上方に設けられた屋根部１３とを備えている。一階部分１１及び二階部分１２のそれぞれには、複数の住戸が設けられている。本実施の形態では、図３に示すように、一階部分１１に住戸１４、１５が設けられ、図４に示すように、二階部分には住戸１６、１７が設けられ、一階の住戸１４と二階の住戸１６とは上下方向に隣接しており、一階の住戸１５と二階の住戸１７とは上下方向に隣接している。
【００２４】
一階部分１１と二階部分１２とを結ぶために、階段１８が設けられている。図４に示すように、階段１８の二階部分１２前方には、踊り場１９が設けられている。踊り場１９は、住戸１４〜１７を形成する外壁２０から前方に突出するように設けられている。
【００２５】
踊り場１９の床部において外壁２０から突出して外郭を構成する端部から、上方に延びる壁材が設けられ、庇２１を構成している。つまり、庇２１は、踊り場１９を覆う腰壁となっている。庇２１は、踊り場１９を含み、床部と、外壁２０（階段１８）から離れて位置する正面部２２と、この正面部２２と住戸１４〜１７を形成する外壁２０とを結ぶ側面部２３とを含んでいる。
【００２６】
庇２１の外郭を構成する複数の面のうち少なくともエントランス２５の開口方向の屋外側の面（正面部２２の外表面）には、意匠が施されている。本実施の形態では、庇２１の外郭を構成する面のうち、屋外側の面、及びこの屋外側の面と外壁２０とを結ぶ面（側面部２３の外表面）には、意匠が施されている。つまり、庇２１の外観上視認できる部分には、意匠が施されており、例えば化粧板が設けられている。庇２１において、屋外側の面と、この屋外側の面と外壁２０とを結ぶ面とは、意匠上の一体性を有している。
【００２７】
二階部分には、踊り場１９を介して、各住戸１６、１７の玄関へ通じる共用廊下２４が設けられている。
【００２８】
図１〜３及び図５に示すように、一階部分１１には、集合住宅１０の出入口部分であるエントランス２５が設けられている。エントランス２５は、集合住宅１０の外観に大きな影響を与える。集合住宅１０の出入口は開口しており、この開口に開閉自在の扉が設けられていてもよい。エントランス２５は、外壁２０から突き出た庇２１下方の空間であるポーチ２６と、このポーチ２６から屋内側に位置するエントランスホール２７とを含んでいる。ポーチ２６は、集合住宅１０の出入口の前方（屋外側）に位置する空間である。エントランスホール２７は集合住宅１０の出入口から屋内側に位置する広間である。本実施の形態では、エントランスホール２７から、各住戸１４、１５の玄関に通じている。
【００２９】
エントランス２５には、箱体３１と、この箱体３１の外郭を構成する面の少なくとも１つの面を被覆する仕上材３２とを備えるユニット３０が設置されている。本実施の形態では、庇２１の下方、即ちポーチ２６にユニット３０が設置されている。ユニット３０は、ポーチ２６の床面から庇２１に向かって立ち上がっている。
【００３０】
箱体３１は、メールボックス及び宅配ボックスの少なくとも一方を含み、本実施の形態では、図５に示すように、メールボックス３３と宅配ボックス３４とが一体化された複合ユニットである。箱体３１は、集合住宅１０を構成する住戸１４〜１７のそれぞれに割り当てられた数のメールボックス３３と、集合住宅１０を構成する住戸の数よりも少ない数の宅配ボックス３４とを含んでいる。
【００３１】
メールボックス３３は、メール便を含む郵便物を受け取るためのボックスであり、不在時の郵便物の受け取りに対応するために再設定可能なダイヤルロックなどが設けられている。宅配ボックス３４は、宅配便を受け取るためのボックス、クリーニングサービスの引き渡しのためのボックス、入居者の外部トランク（収納ボックス）などを含む。箱体３１は、宅配ボックス３４と別に、集合住宅１０を構成する住戸の少なくとも１つの収納ボックス（図示せず）をさらに含んでいてもよい。
【００３２】
箱体３１は、直方体であり、箱として自立する形状を有している。箱体３１の外郭を構成する面は、正面を向く面（エントランス２５の開口方向の屋外側の面）、背面を向く面（エントランス２５の開口方向の屋内側の面）、正面を向く面と背面を向く面とを結ぶ２つの面、上方を向く面、及び下方を向く面の６つである。正面を向く面と、背面を向く面とは、エントランス２５の開口方向において、反対側にそれぞれ位置している。
【００３３】
外壁２０から突出した庇２１下方に箱体３１が設置されているので、正面を向く面は、外壁２０から離れて位置している。背面を向く面は、ポーチ２６におけるエントランスホール２７側に位置し、住戸１４、１５の外壁２０と略同一平面上に位置している。箱体３１を構成する各ボックスの開閉部が形成された面は、正面を向く面と背面を向く面とを結ぶ面のうち、エントランス２５の開口（集合住宅１０の出入口）側に位置している。正面を向く面と背面を向く面とを結ぶ面のうち、エントランス２５の開口と反対側の面は、外壁２０近傍から正面を向く面まで延び、外壁２０近傍と正面を向く面とを結ぶ。なお、外壁２０近傍とは、外壁２０と接している場合と、接していない場合とを含む。
【００３４】
図３及び図５に示すように、箱体３１を構成する各ボックスの開閉方向（図３における左右方向）は、エントランス２５の開口方向（図３における上下方向）と直交し、エントランス２５の間口方向（図３における左右方向）と同じである。換言すると、箱体３１を構成する各ボックスの開閉部が形成された面は、箱体３１におけるエントランス２５の開口方向の屋外側の面よりエントランス２５の開口側に対して９０°横向きに位置している。
【００３５】
この箱体３１の外郭を構成する面のうち、少なくともエントランス２５の開口方向の屋外側の面（正面を向く面）を被覆するように、仕上材３２が設けられている。本実施の形態では、仕上材３２は、正面を向く面、エントランス２５の開口方向の屋内側の面（背面を向く面）、及び外壁２０近傍と正面を向く面とを結ぶ面（エントランス２５の開口と反対側に位置する面）を被覆するように、仕上材３２が設けられている。つまり、仕上材３２は、箱体３１の正面を向く面を被覆する正面部３５と、背面を向く面を被覆する背面部３６と、外壁２０近傍と正面を向く面とを結ぶ面を被覆する側面部３７とを含んでいる。正面部３５と背面部３６とは間隔を隔てて略平行に設置され、側面部３７は正面部３５及び背面部３６の一端側と連なり、平面視において略コ字状をなす。側面部３７は、外壁２０と正面部３５とを結ぶ。
【００３６】
仕上材３２は、屋外側からエントランス２５の開口を見たとき（正面視において）に、開閉部が形成された面を越えて突出している。本実施の形態では、仕上材３２の正面部３５は、屋外側からエントランス２５の開口を見たときに、箱体３１からエントランス２５の開口側に向かって（図３において左側に）突出している。換言すると、正面に位置する仕上材３２は、箱体３１における正面を向く面よりも大きく、正面視において箱体３１から集合住宅１０の出入口側に延出している。本実施の形態では、仕上材３２の正面部３５は、平面視において、箱体３１の正面部（エントランス２５の開口方向の屋外側の面）よりも、箱体３１を構成する各ボックスの開閉面（配達物投入面）側に長い。
【００３７】
図３に示すように、ユニット３０が設置されたポーチ２６よりも屋内側に位置するエントランスホール２７には、階段１８が設けられており、仕上材３２は、屋外側からエントランス２５の開口を見たときに、階段１８を覆っている。具体的には、仕上材３２の正面部３５の幅は階段１８の幅よりも大きく、正面部３５は床から庇２１近傍まで延びており、正面から集合住宅１０を見たときに、階段１８が隠れている。ユニット３０は、階段１８を正面視において視認できない（階段１８が外観を構成しない）ように、目隠しとしての機能を有する。
【００３８】
また、仕上材３２の背面部３６の幅は、階段１８の幅と同程度またはそれより大きく、背面部３６の高さは、正面部３５と同程度である。この場合、階段１８の背面（屋内側）から見たときに、箱体３１が被覆されており、意匠性を向上できる。
【００３９】
なお、箱体３１の背面を向く面と、階段１８との間のスペースは、多目的スペースとして利用することができ、このスペースに物置などを設置してもよい。この場合、仕上材３２の背面部３６が省略されて、物置の外郭を構成する面のうち、背面を向く面は、仕上材３２と意匠上の一体性を有していることが好ましい。
【００４０】
仕上材３２は、建物の外装に使用され、直接目に触れる部分の表面材料であり、サイディング、タイルなどの外装材を含み、例えば化粧板である。仕上材３２には意匠が施されているので、仕上材３２は外観上視認できる位置に設けられて、集合住宅１０の外観の一部を構成している。本実施の形態では、仕上材３２を構成する正面部３５、背面部３６及び側面部３７は、意匠上の一体性を有している。
【００４１】
屋外側からエントランス２５の開口を見たときに、箱体３１は視認されず、仕上材３２が集合住宅１０の外観の一部をなす。また、図２に示すように、集合住宅１０をエントランス２５の開口方向から開口と反対側に対して９０°横向きから見たときに、箱体３１は視認されず、仕上材３２が集合住宅１０の外観の一部をなす。仕上材３２には意匠が施されているので、箱体３１を含むユニット３０は集合住宅１０の一部として視認され、集合住宅１０全体の意匠性を向上している。なお、本実施の形態では、屋外側からエントランス２５の開口を見たときに集合住宅１０の外観を構成する主な部分は、屋根部１３、外壁２０、外壁の開口部（各住戸１４〜１７の窓）、庇２１、庇２１の上方の空間、エントランス２５、及び仕上材３２である。
【００４２】
本実施の形態においては、庇２１の外郭を構成する複数の面のうちエントランス２５の開口方向の屋外側の面（庇２１の正面部２２の外表面）と、箱体３１におけるエントランス２５の開口方向の屋外側の面を被覆する仕上材３２（仕上材３２の正面部３５の外表面）とは、意匠上の一体性を有している。換言すると、屋外側からエントランス２５の開口を見たときに視認される位置に設けられている庇２２と仕上材３２とは、意匠上の一体性を有している。さらに換言すると、仕上材３２におけるエントランス２５の開口方向の屋外側の面と、庇２１におけるエントランス２５の開口方向の屋外側の面とで、一体化した意匠を形成している。このため、ユニット３０及び庇２１は、集合住宅１０と一体感のある外観を形成する。
【００４３】
ここで、意匠上の一体性とは、色彩、模様等が同一または関連しており、全体としてまとまりがあることを意味する。例えば、庇２１におけるエントランス２５の開口方向の屋外側の面と、仕上材３２におけるエントランス２５の開口方向の屋外側の面とは、色彩、模様等を同一として、統一した意匠とする。
【００４４】
なお、仕上材３２におけるエントランス２５の開口方向の屋外側の面と、庇２１におけるエントランス２５の開口方向の屋外側の面とは、意匠上の一体性を有していなくてもよい。例えば、庇２１を外壁２０と同じ色にして、仕上材３２におけるエントランス２５の開口方向の屋外側の面を外壁２０及び庇２１と異なる色にして、仕上材３２を外観上のアクセントにしてもよい。また、例えば、仕上材３２におけるエントランス２５の開口方向の屋外側の面を、樋などの集合住宅１０を構成する部品と同一の色とするとともに、外壁２０と異なる色として、集合住宅１０全体としてコーディネートされてもよい。
【００４５】
また、一階部分１１の外壁２０と、二階部分１２の外壁２０とは、意匠上の一体性を有していなくてもよいが、意匠上の一体性を有していることが好ましい。
【００４６】
続いて、本実施の形態の集合住宅１０の施工方法について説明する。本実施の形態の集合住宅の施工方法は、一階部分１１、二階部分１２、及び屋根部１３を作製する工程と、ユニット３０をエントランス２５に設置する工程とを備えている。
【００４７】
一階部分１１、二階部分１２、及び屋根部１３を作製する工程では、ユニット３０を除く部分を作製し、一般公知の方法を任意に採用できる。
【００４８】
ユニット３０をエントランスに設置する工程は、例えば、以下のように実施する。まず、メールボックス３３及び宅配ボックス３４の少なくとも一方を含む箱体３１を準備する。また、仕上材３２を準備する。その後、箱体３１の外郭を構成する複数の面のうち少なくとも正面を向く面を仕上材３２で被覆する。これにより、ユニット３０を準備できる。仕上材３２を被覆する方法は特に限定されないが、例えば、被覆する箱体３１の面に合わせた化粧パネルを準備し、その化粧パネルを箱体３１の面のそれぞれに取り付ける。
【００４９】
このように準備したユニット３０を、集合住宅１０のエントランス２５に設置する。本実施の形態では、庇２１下のポーチ２６にユニット３０を設置する。このとき、設置の容易性の観点から、ユニット３０の上端と、庇２１との間には、隙間が形成されていてもよい。この隙間には、見切り材が配置されてもよい。
【００５０】
続いて、本実施の形態の集合住宅の効果について説明する。
【００５１】
通常は、集合住宅にメールボックス及び宅配ボックスの少なくとも一方を設置するためには、外壁を設けて、据え置くための置き場を作製するが、この場合、柱、基礎コンクリートなどが必要であり、コストを要する。しかし、本実施の形態では、メールボックス及び宅配ボックスの少なくとも一方を含む箱体３１と、この箱体３１を覆う仕上材３２とを有するユニット３０を準備し、ユニット３０をエントランス２５に設置しているので、柱、基礎コンクリートなどを必要としない。このため、置き場を作製するための建築コストを省略することができるので、コストを低減することができる。
【００５２】
また、本実施の形態では、柱、基礎コンクリートの施工などを考慮せずに、集合住宅１０のエントランスのスペースの一部に、ユニット３０を設置するだけでよい。例えば、ユニット３０は、共用部分のデットスペースに設置することもできる。本実施の形態では、仕上材３２で被覆された箱体３１を設置するためのスペースの確保のための制限が小さいので、ユニット３０の設置スペースの確保が容易である。
【００５３】
さらに、メールボックス及び宅配ボックスの少なくとも一方を含む箱体３１において、エントランス２５の開口方向の屋外側に位置する面を仕上材３２が被覆し、屋外側からエントランス２５の開口を見たときに、この仕上材３２が視認できる位置に設けられている。これにより、仕上材３２が集合住宅１０の外観の一部をなす。このため、集合住宅１０を屋外側からエントランス２５の開口を見たときに、仕上材３２が集合住宅１０の外観の一部となるので、意匠性を向上することができる。
【００５４】
以上より、本実施の形態の集合住宅１０は、メールボックス３３及び宅配ボックス３４の少なくとも一方を含む箱体３１をエントランス２５に設置しても、その箱体３１の外観上視認される位置に仕上材３２を被覆することで、意匠性を施した仕上材３２を集合住宅１０の外観の一部にすることによって、集合住宅１０の意匠性を向上している。よって、本実施の形態の集合住宅１０は、設置スペースを確保しつつ、コストを低減でき、さらに意匠性を向上できる。したがって、本実施の形態の集合住宅１０は、メールボックス、宅配ボックスなどの設置スペースの確保が難しいとされる低層階で世帯数の少ない集合住宅に好適に適用される。
【００５５】
（実施の形態２）
図６を参照して、本発明の実施の形態２の集合住宅を説明する。図６に示す実施の形態２の集合住宅４０は、基本的には実施の形態１の集合住宅１０と同様の構成を備えているが、ユニット４１において異なる。
【００５６】
具体的には、箱体３１を構成する各ボックスの開閉部は、背面を向く面（エントランス２５の開口方向の屋内側の面）に位置している。このため、仕上材４２は、箱体３１の外郭を構成する面のうち、背面を向く面を被覆する背面部を備えておらず、正面を向く面、及び外壁２０近傍と正面を向く面とを結ぶ面を被覆している。つまり、仕上材３２は、箱体３１の正面を向く面を被覆する正面部３５と、外壁２０近傍と正面を向く面とを結ぶ面を被覆する側面部３７とで構成されている。
【００５７】
本実施の形態の集合住宅４０のように、背面を向く面を被覆する背面部を省略した仕上材４２を含むユニット４１を備えていてもよい。本実施の形態の集合住宅４０であっても、設置スペースを確保しつつ、コストを低減し、さらに意匠性を向上することができる。
【００５８】
ここで、実施の形態１及び２では、多層階構造の集合住宅として、二階建ての集合住宅を例に挙げたが、本発明の集合住宅は、３階建て以上の集合住宅を含む。また、本発明のエントランスは、一階に設けられる構造に限定されない。また、本発明の集合住宅において、エントランスが複数設けられていてもよい。この場合、少なくとも１つのエントランスに、箱体及び仕上材を備えるユニットが設置される。また、実施の形態１及び２では、上下階を結ぶ手段として階段を例に挙げて説明したが、本発明の昇降手段は特に限定されず、エレベータなどが採用されてもよい。
【００５９】
また、実施の形態１及び２では、箱体３１として、直方体のものを例に挙げたが、形状は限定されず、例えばｎ角柱（ｎは３以上の整数）を適用することができる。
【００６０】
また、箱体３１を構成するボックスの開閉部が形成された面は、実施の形態１では、エントランス２５の開口方向に沿った面のうち開口側に位置し、実施の形態２では、エントランス２５の開口方向の屋内側に位置しているが、エントランス２５の開口方向に沿った面のうち開口と反対側に位置していてもよい。
【００６１】
なお、ボックスの開閉部が形成された面がエントランス２５の開口方向と交差する方向に延びる場合には、仕上材３２は、屋外側からエントランス２５の開口を見たときに、開閉部が形成された面を越えて突出していることが好ましい。
【００６２】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００６３】
１０，４０  集合住宅、１１  一階部分、１２  二階部分、１３  屋根部、１４〜１７  住戸、１８  階段、１９  踊り場、２０  外壁、２１  庇、２２，３５  正面部、２３，３７  側面部、２４  共用廊下、２５  エントランス、２６  ポーチ、２７  エントランスホール、３０，４１  ユニット、３１  箱体、３２，４２  仕上材、３３  メールボックス、３４  宅配ボックス、３６  背面部。
【図１】
2016196748.tif 000003
【図２】
2016196748.tif 000004
【図３】
2016196748.tif 000005
【図４】
2016196748.tif 000006
【図５】
2016196748.tif 000007
【図６】
2016196748.tif 000008